(57)【特許請求の範囲】
【請求項１】
光源、偏向手段、及び光学系を収納する光学箱と、
前記光学箱の壁面に形成され偏向された光ビームを出射する窓部と、
前記光学箱を本体フレームに取付けると共に、前記壁面と前記本体フレームとの間に通風路を形成する通風路形成手段と、
前記本体フレームに形成され、前記窓部から出射された光ビームを感光体側へ通過させる通過口と、
前記通風路に風を送り、前記窓部と前記通過口との間にエアカーテンを形成する送風手段と、を備え、
前記通過口と前記窓部の開口縁部間の隙間を絞り込んだ、ことを特徴とする画像形成装置。
【請求項２】
光源、偏向手段、及び光学系を収納する光学箱と、
前記光学箱の壁面に形成され偏向された光ビームを出射する窓部と、
前記光学箱を本体フレームに取付けると共に、前記壁面と前記本体フレームとの間に通風路を形成する通風路形成手段と、
前記本体フレームに形成され、前記窓部から出射された光ビームを感光体側へ通過させる通過口と、
前記通風路に風を送り、前記窓部と前記通過口との間にエアカーテンを形成する送風手段と、を備え、
前記壁面と前記本体フレームとの間の隙間のうち空気取り入れ口部において、前記光学箱の角部にテーパー面を形成した、こと特徴とする画像形成装置。
【請求項３】
前記本体フレームと前記壁面との間に、前記送風手段からの風を前記窓部と前記通過口との間に均等に送るフィンを形成した、ことを特徴とする請求項１または請求項２に記載の画像形成装置。
【請求項４】
前記送風手段が、前記偏光手段の回転駆動に伴う前記窓部から前記光学箱内部へ向かう空気の流路を遮断するように風を供給する、ことを特徴とする請求項１または請求項２に記載の画像形成装置。
【請求項５】
前記通過口と前記窓部の開口縁部間の隙間を局部的に絞り、前記偏光手段の回転運動に伴う前記窓部から前記光学箱内へ向かう空気の流路を遮断する、ことを特徴とする請求項１または請求項２に記載の画像形成装置。
【請求項６】
前記光ビームによる走査露光終了後、前記偏光手段が停止し当該偏光手段の回転運動により生じた空気流が消滅した後に、前記送風手段を停止する制御手段を備えた、ことを特徴とする請求項１乃至請求項５の何れか１項に記載の画像形成装置。
【発明の詳細な説明】
【０００１】
【発明の属する技術分野】
本発明は、レーザビームで感光体を走査露光する光走査装置を備えた画像形成装置に関する。
【０００２】
【従来の技術】
近年の動向として高速化、高画質化が要求され、それに伴い画像形成装置のさらなる高性能化が要求されている。これに対し、ポリゴンミラーを高速回転させたり、走査露光するレーザビームの極小化等で対応している。
【０００３】
しかし、レーザビームが細くなればなるほど、光学レンズなどの光学系に付着したトナーや粉埃等が画像に影響する度合いが大きくなる。すなわち、レーザビームの径に対する粉埃の径の比率が相対的に大きくなり、結果として白筋の画像トラブルを引起こす確率が高くなる。また、白筋が発生しないまでも、感光体に到達するレーザビームのパワーの低下により画像濃度が低下し、画像を悪化させる問題がある。特に、レーザビームが出射される光学箱の窓をガラスウインドにして遮蔽するタイプでは、ガラスウインドが感光体と光学部品との間にあり、ガラスウインドに粉埃が付着すると、画像を一層悪化させることとなる。
【０００４】
このようなガラスウインドへの埃の付着を防止することを目的としたものの１例が特開平６−３１７９５１に開示されている。すなわち、感光体のそばにダクトを設けてこのダクトを通じて空気を流し、エアーカーテンを形成してガラスウインドに粉埃が付着するのを防止している。
【０００５】
【発明が解決しようとする課題】
しかし、上記開示例は、画像形成装置内部に別途ダクトを設けており、装置全体が大型化する問題がある。一方、ガラスウインドを取り外した一例として、特開平８−２６２３５６があり、光学箱に形成されレーザビームを通過させる窓部の開口縁部を筒状にして窓部から光学箱内部へ埃の侵入を阻止したものが開示されているが、感光体からのトナーなどが窓部から光学箱内部へ侵入する場合がある。さらに、光学箱内部にはレーザビームを走査偏向するポリゴンミラーが設けられており、このポリゴンミラーの回転に伴ってうずが発生し、窓部から光学箱内部へ埃が侵入してくることがある。
【０００６】
そこで、本発明は、ガラスウインドを設けずとも、光学箱内部への粉埃の侵入を効果的に防止して光学ミラー等の光学系への埃の付着を防止し、かつ装置の小型化を達成することができる画像形成装置を提供することを課題とする。
【０００７】
【課題を解決するための手段】
請求項１に記載の画像形成装置は、光源、偏向手段、及び光学系を収納する光学箱と、前記光学箱の壁面に形成され偏向された光ビームを出射する窓部と、前記光学箱を本体フレームに取付けると共に、前記壁面と前記本体フレームとの間に通風路を形成する通風路形成手段と、前記本体フレームに形成され、前記窓部から出射された光ビームを感光体側へ通過させる通過口と、前記通風路に風を送り、前記窓部と前記通過口との間にエアカーテンを形成する送風手段と、を備え、前記通過口と前記窓部の開口縁部間の隙間を絞り込んだ、ことを特徴としている。
【０００８】
この構成によれば、光源、偏向手段、及び光学系を収納した光学箱は、通風路形成手段により本体フレームに取付けられ、光学箱の壁面と本体フレームとの間に通風路を形成している。
【０００９】
一方、光学箱の壁面には光源から発生され偏向手段で偏向されて光学系を介した光ビームを出射する窓部が形成されており、他方、本体フレームにはこの窓部から出射された光ビームを感光体側へ通過させる通過口が形成されている。
【００１０】
ここで、送風手段で通風路へ風を送り、通過口と窓部の開口縁部間の隙間を絞り込んで窓部と通過口との間にエアカーテンを形成することにより、窓部をとおって光学箱内部へ侵入する埃を阻止することができる。また、同時に、光学箱の壁面と本体フレームとで通風路を形成しているので、別途、ダクト等の設備を設けることなく、装置全体を小型化することができる。
【００１１】
請求項２に記載の画像形成装置は、光源、偏向手段、及び光学系を収納する光学箱と、前記光学箱の壁面に形成され偏向された光ビームを出射する窓部と、前記光学箱を本体フレームに取付けると共に、前記壁面と前記本体フレームとの間に通風路を形成する通風路形成手段と、前記本体フレームに形成され、前記窓部から出射された光ビームを感光体側へ通過させる通過口と、前記通風路に風を送り、前記窓部と前記通過口との間にエアカーテンを形成する送風手段と、を備え、前記壁面と前記本体フレームとの間の隙間のうち空気取り入れ口部において、前記光学箱の角部にテーパー面を形成した、こと特徴している。
【００１２】
請求項２に記載の画像形成装置によれば、光源、偏向手段、及び光学系を収納した光学箱は、通風路形成手段により本体フレームに取付けられ、光学箱の壁面と本体フレームとの間に通風路を形成している。
【００１３】
一方、光学箱の壁面には光源から発生され偏向手段で偏向されて光学系を介した光ビームを出射する窓部が形成されており、他方、本体フレームにはこの窓部から出射された光ビームを感光体側へ通過させる通過口が形成されている。
【００１４】
ここで、送風手段で通風路へ風を送り、窓部と通過口との間にエアカーテンを形成することにより、窓部をとおって光学箱内部へ侵入する埃を阻止することができる。また、同時に、光学箱の壁面と本体フレームとで通風路を形成しているので、別途、ダクト等の設備を設けることなく、装置全体を小型化することができる。
【００１５】
また、光学箱の角部にテーパー面を形成することで、空気が通風路に侵入するときに通風路の入口で乱流が発生することがなく、空気を円滑に通風路内に侵入させることができる。
【００１６】
請求項３に記載の発明は、請求項１または請求項２に記載の画像形成装置において、前記本体フレームと前記壁面との間に、前記送風手段からの風を前記窓部と前記通過口との間に均等に送るフィンを形成した、ことを特徴としている。
【００１７】
請求項３に記載の画像形成装置では、フィンにより、送風手段からの風を窓部と通過口との間に均等に送ることができる。
【００１８】
請求項４に記載の発明は、請求項１または請求項２に記載の画像形成装置において、前記送風手段が、前記偏光手段の回転駆動に伴う前記窓部から前記光学箱内部へ向かう空気の流路を遮断するように風を供給する、ことを特徴としている。
【００１９】
請求項４に記載の画像形成装置では、送風手段が、偏光手段の回転駆動に伴う窓部から光学箱内部へ向かう空気の流路を遮断するように風を供給するので、例えば、感光体等の外部から来るトナーや粉埃を含んだ空気の流路を遮断することができ、光学箱内部への侵入を効率良く阻止することができる。
【００２０】
請求項５に記載の発明は、請求項１または請求項２に記載の画像形成装置において、前記通過口と前記窓部の開口縁部間の隙間を局部的に絞り、前記偏光手段の回転運動に伴う前記窓部から前記光学箱内へ向かう空気の流路を遮断する、ことを特徴としている。
【００２１】
請求項５に記載の画像形成装置では、通過口と前記窓部の開口縁部間の隙間を局部的に絞っているので、この部分で空気流の流速が増加し、強力なエアーカーテンを形成することができ、光学箱内部への粉埃の侵入を効果的に阻止することができる。
【００２２】
請求項６に記載の発明は、請求項１乃至請求項５の何れか１項に記載の画像形成装置において、前記光ビームによる走査露光終了後、前記偏光手段が停止し当該偏光手段の回転運動により生じた空気流が消滅した後に、前記送風手段を停止する制御手段を備えた、ことを特徴としている。
【００２３】
請求項６に記載の画像形成装置では、制御装置は、光ビームによる走査露光終了後、偏光手段が停止し当該偏光手段の回転運動により生じた空気流が消滅した後に、送風手段を停止する。
【００２４】
【発明の実施の形態】
以下、添付図面を参照して、本発明の第１実施形態に係る画像形成装置について説明する。図１は第１実施形態に係る画像形成装置の断面図であり、図２はその平面図を示したものである。
【００２５】
図１に示すように、画像形成装置１０には、感光体１２をレーザビームで露光する光走査装置１６が本体フレーム１８に固定されている。
【００２６】
光走査装置１６を構成する光学箱２０の内部には、レーザビームを発するレーザ光源２２と、このレーザビームをほぼ平行光にする図示しないコリメータレンズ、シリンドリカルレンズ２４、レーザビームを走査偏向するポリゴンミラー２６、２枚の結像レンズ２８、レーザビームを下方向に反射するミラー３０が収納されている。なお、ポリゴンミラー２６はポリゴンモータ３２により回転駆動され、ポリゴンモータ３２はモータドライバ（図示省略）を介して制御部（図示省略）に接続されている。
【００２７】
このような構成を備えた光走査装置１６は、図示しないビス等の固着具により、Ｌ字状の脚体１５が本体フレーム１８に固定され、本体フレーム１８との間に間隙６２（通風路）を形成している。
【００２８】
また、光学箱２０の下側の壁面には、ミラー３０によってレーザビームが反射される位置に長方形状のレーザー出射口３８が形成されており、その下側の本体フレーム１８にも略同じサイズのレーザー通過口４０が形成されている。
【００２９】
また、レーザー出射口３８の口縁部は、下側へ凹設され、他方、レーザー通過口４０の口縁部は、上方に凸設されている。このため、光学箱２０と本体フレーム１８との間隙６２はレーザー出射口３８とレーザー通過口４０との部分で絞られた形状となっている。
【００３０】
また、本体フレーム１８には光学箱２０の長手方向の長さと同じ長さのクロスフローファン４２が設けられており、光学箱２０と本体フレーム１８との間に空気（風）を供給する。また、本体フレーム１８にはクロスフローファン４２に外部から空気を吸引するために、空気孔４４が形成されている。なお、クロスフローファン４２は、図示しないファンモータにより駆動され、ファンモータは、モータドライバ４８を介して図示しない制御部と接続されている。
【００３１】
一方、本体フレーム１８の下方には、レーザー通過口４０の下方に感光体ドラム１２が配設され、その下流側に定着用ユニット４７及び搬送ローラ４８等が配設されている。
【００３２】
レーザビームの走査露光時には、レーザ光源２２から出射されたレーザビームは、コリメータレンズにより平行光となり、シリンドリカルレンズ２４によって幅が広げられて、ポリゴンモータ３２により回転駆動されたポリゴンミラー２６の反射面上に集光する。このレーザビームは、ポリゴンミラー２６に反射されて走査偏向され、２枚の結像レンズ２８を経てミラー３０により下方に反射され、レーザー出射口３８、レーザー通過口４０を通り、感光体ドラム１２上に静電潜像を形成する。この感光体１２上の静電潜像は、現像器１１でトナー像とされ、搬送ローラ４８で搬送された用紙５０に転写される。このトナー像が転写された用紙５０は定着器４７で加熱加圧されトレー１３上へ排出される。
【００３３】
また、同時に、ファンモータ４６により回転駆動されたクロスフローファン４２により光学箱２０と本体フレーム１８との通風路６２に空気が供給され（図３の矢印Ａ）、エアーカーテンが形成される。このため、粉埃がレーザー出射口３８から光学箱２０内部に侵入すること防止することができる。また、特に、レーザー出射口３８とレーザー通過口４０との隙間が絞り込まれているので、空気流の流速がこの部分で速くなり（図３の矢印Ｂ）、より強力なエアカーテンが形成され、光学箱２０の防塵効果が向上する。
【００３４】
次に、制御部の作用について図４に示すタイミングチャートに基づいて説明する。
【００３５】
先ず、レーザビームの走査露光時には、ファンモータ（図示省略）によりクロスフローファン４２が駆動し、光学箱２０と本体フレーム１８とで形成された通風路６２に空気が供給される。
【００３６】
次に、ポリゴンモータ３２によりポリゴンミラー２６が駆動させる。これにより、ポリゴンミラー２６が回転して、レーザ光源２２から出射されたレーザビームを反射する。そして、反射されたレーザビームは、さらにミラー３０で反射されてレーザー出射口３８、レーザー通過口４０を通過して感光体１２に結像する画像形成モードに入る。
【００３７】
次に、画像形成モードを経過して、所定の待機モード１を経過した後は、制御部からポリゴンモータ３２へ停止命令が出力される。そして、ポリゴンモータ３２に停止命令が出力されてから所定の所定時間Ｔ２を経過するまで、そのままファンモータ４６の駆動を継続する待機モード２に入る。そして、所定の時間Ｔ２が経過すると、制御部からファンモータ４６に停止命令が出力される停止モードに入る。そして、クロスフローファン４２の回転が停止する。なお、上記した所定の時間Ｔ２は、ポリゴンミラー２６の回転によりうずが発生し、光学箱２０内部にうずに伴う空気流が消滅するまでの時間である。
【００３８】
また、通風路６２を光学箱２０と本体フレーム１８という既存の装備で構成しているので、ダクト等の装備を新たに設ける必要がなく、装置全体の小型化を実現させることができる。
【００３９】
また、上記したように、レーザビームによる走査露光終了時に、先ず、制御部によりポリゴンモータ３２を停止させてポリゴンミラー２６の回転を停止させてから、所定の時間Ｔ２後、すなわち、ポリゴンミラー２６の回転によるレーザー出射口３８での空気を流入出させる力をゼロとした後に制御部よりファンモータを停止させているので、レーザビームによる走査露光開始から完全終了するまでの間、常に、光学箱２０内部への粉埃の侵入を阻止することができる。
【００４０】
また、図１に示すように、クロスフローファン４２からの風をポリゴンモータ３２に直接当てることにより、ポリゴンモータ３２の駆動に伴い発生する熱を冷却させることができる。
【００４１】
なお、上記した所定の時間Ｔ２は、画像形成装置１０内部に残っている浮遊トナーなどが光学箱２０内部に侵入するのを防止するため、ポリゴンミラー２６が完全停止する時間よりある程度長く設定しておく。また、所定の時間Ｔ２は、クロスフローファン４２の寿命や浮遊している粉埃がクロスフローファン４２によってどの程度の時間で除去されるか等を総合的に判断して設定することが望ましい。
【００４２】
なお、図２の矢印Ｃに示したように、ポリゴンミラー２６の回転により、光学箱２０内部からレーザー出射口３８を介して光学箱２０の外部へ常時空気が流れることになるため、光学箱２０とこれを覆う本体フレーム１８のカバー２０Ａとの間に隙間を形成して空気吸引口として空気を取り入れてもよい。このとき外部から粉埃が侵入しないように、フィルタを設けて防塵性を高めることもできる。また、光学箱２０とカバー２０Ａとを密閉してカバー２０Ａ自体にフィルタ付きの空気吸引口を設けても良い。
【００４３】
次に、第２実施形態の画像形成装置について説明する。
【００４４】
本実施形態は、第１実施形態において用いたクロスフローファン４２に替えて、軸流ファン６３を用いたものである。一般に、図５及び図６に示すように、軸流ファン６３の幅は、レーザー出射口３８及びレーザー通過口４０の幅よりも小さくなり、軸流ファン６３からの空気流（風）をレーザー出射口３８の幅方向に均等に供給するため、本体フレーム１８とで通風路６２を構成する光学箱２０の壁面にフィン６４が形成されている。なお、フィン６４は、本体フレーム１８側に設けても良い。
【００４５】
また、図６に示すように、このフィン６４は、軸流ファン６３の幅に相当する通風路６２の入口からレーザー出射口３８までを覆う一対の外郭フィン６４Ａと、その内部にレーザー出射口３８の幅方向に向かって設けられた複数の線状リブ６４Ｂとから構成されている。
【００４６】
このため、軸流ファン６３からの空気流（図６の矢印Ｅ）は、レーザー出射口３８とレーザー通過口４０との間に均等に供給される。
【００４７】
また、軸流ファン６３を用いる場合、図７に示すように、軸流ファン６３をポリゴンミラー２６の回転に伴いレーザー出射口３８から光学箱２０内部へ空気が侵入しやすいところに設置してもよい。この部分に重点的に風を供給することによって（図７の矢印Ｆ）、感光体１２から来るトナーや粉埃を含んだ空気の流路を遮断することができ、光学箱２０内部への侵入を効率良く阻止することができる。一方、エアーカーテンが形成されていない部分は、軸流ファン６３からの風により、ポリゴンミラー２６の回転に伴う空気流（図７の矢印Ｃ）がレーザー出射口３８を通って感光体１２側へ向かうため、感光体１２からのトナーや粉埃が光学箱２０内部へ侵入するのを阻止することができる。
【００４８】
なお、図７に示した軸流ファン６３の位置は一例を示したものであり、軸流ファン６３の設置場所に関係なく、先に示したフィン６４などを設けて、光学箱２０内部へ侵入する空気の流路に軸流ファン６３からの風を誘導してもよい。
【００４９】
また、第１実施形態及び第２実施形態において、光学系２０及び本体フレーム１８の形状、送風ファン４２、６３の配置等は、上記したものに限られるものではない。
【００５０】
次に、本発明の第３実施形態に係る画像形成装置について説明する。
【００５１】
本形態における画像形成装置は、レーザー出射口３８とレーザー通過口４０との隙間６２（通風路）を、レーザー出射口３８あるいはレーザー通過４０口の幅方向（長手方向）に亘って連続的または階段的に変化させたものである。
【００５２】
すなわち、ポリゴンミラー２６を回転させると、この回転方向に従い光学箱２０内部に、図８の矢印Ｃに示す空気流が生じ、この空気流の一部はレーザー出射口３８からレーザー通過口４０を介して光学箱２０の外部に向かう。また、それと同時に、レーザー出射口３８から光学箱２０内部へ粉埃を含んだ空気が入り込む。
【００５３】
本実施形態では、光学箱２０内部へ空気が侵入しやすいところを局部的にレーザー出射口３８とレーザー通過口４０との隙間を小さくすることにより、この部分でクロスフローファン４２からの空気流（図８の矢印Ｄ）の流速が増加し、強力なエアーカーテンを形成することにより、光学箱２０内部への粉埃の侵入を効果的に阻止することができる。なお、上記隙間６２は、光学箱２０のレーザー出射口３８、本体フレーム１８のレーザー通過口４０のいずれか、あるいは両方を近づけることが望ましい。
【００５４】
次に、本発明の第４実施形態に係る画像形成装置について説明する。
【００５５】
本実施形態における画像形成装置は、軸流ファン６３からの空気が侵入する光学箱２０と本体フレーム１８とで形成された通風路６２の入口を、光学箱２０の壁面を削って大きく形成したものである。
【００５６】
すなわち、図９に示すように、光学箱２０の角部を削ってテーパー面Ｒを形成することで、軸流ファン６３からの空気が通風路６２に侵入するときに通風路６２の入口で乱流が発生することがなく、空気を円滑に通風路６２内に侵入させることができる（図９の矢印Ｇ）。
【００５７】
なお、図示しないが、本体フレーム１８に切り込みを入れることにより通風路６２の入口をより大きく形成することができ、軸流ファン６３からの空気をより円滑に通風路６２内に侵入させることができる。
【００５８】
次に、本発明の第５実施形態に係る画像形成装置について説明する。
【００５９】
本形態における画像形成装置は、すなわちレーザビームによる走査露光終了時に、制御部からファンモータ４６を停止させるタイミングについて第１実施形態のそれと相違するものである。したがって、以下、相違点のみ説明し、共通する部分は説明を省略する。
【００６０】
本実施形態では、ポリゴンミラー２６を回転駆動させるポリゴンモータ３２に、その回転数を検出するための図示しないロータリエンコーダが接続されている。
【００６１】
次に、図１０に示すタイミングチャートに基づいて制御部による作用を説明する。
【００６２】
レーザビームによる走査露光（図１０の画像形成モード）が終了して、待機モード１を経過すると、制御部からポリゴンモータ３２へ停止命令が出力されて待機モード２に入る。次に、ロータリエンコーダによりポリゴンモータ３２のパルス間隔が所定のパルス間隔Ｓ２と検出されると、パルス間隔Ｓ２に達した時から所定の時間Ｔ３が経過するまでそのまま待機モード２を維持し、ファンモータの駆動が継続される。次に、所定の時間Ｔ３が経過すると、制御部からファンモータに停止命令が出力され、ファンモータが停止する。なお、上記した所定の時間Ｔ３は、ポリゴンミラー２６の回転によりうずが発生し、光学箱２０内部にこのうずに伴う空気流が消滅するまでの時間である。
【００６３】
以上のように、ファンモータを制御することにより、常に光学箱２０内部への粉埃の侵入を阻止することができることに加え、ポリゴンモータ３２が停止するまでの時間のばらつきを考慮することなく、ファンモータの停止時間を容易に設定することができる。
【００６４】
なお、パルス間隔を検出する手段としてロータリエンコーダを一例として説明したが、これに限られるものだはなく、ポリゴンモータ３２内のホール素子等の磁気変換素子やＦＧパターン、光学箱２０内部の画像書込み検出素子などを用いてもよい。
【００６５】
【発明の効果】
本発明によれば、送風手段で通風路へ風を送り、窓部と通過口との間にエアカーテンを形成することにより、窓部をとおって光学箱内部へ侵入する埃を阻止することができる。また、同時に、光学箱の壁面と本体フレームとで通風路を形成しているので、別途、ダクト等の設備を設けることなく、装置全体を小型化することができる。
【図面の簡単な説明】
【図１】本発明の第１実施形態に係る画像形成装置の断面図である。
【図２】第１実施形態に係る画像形成装置に備えられた光走査装置の概略構成図である。
【図３】レーザー出射口とレーザー通過口との間の通風路を示す図である。
【図４】第１実施形態に係る画像形成装置の制御部で実行されたポリゴンミラーとクロスフローファンとの関係を示すタイミングチャートである。
【図５】第２実施形態に係る画像形成装置の断面図である。
【図６】第２実施形態に係る画像形成装置の光走査装置の裏面を示した図である。
【図７】第２実施形態に係る画像形成装置の光走査装置の概略構成図とその側面図である。
【図８】第３実施形態に係る画像形成装置の光走査装置の概略構成図とその側面図である。
【図９】（Ａ）は第４実施形態に係る画像形成装置の光走査装置の概略構成図であり、（Ｂ）はその一部拡大図である。
【図１０】第５実施形態に係る画像形成装置の制御部で実行されたポリゴンミラーとクロスフローファンとの関係を示すタイミングチャートである。
【符号の説明】
１２  感光体
１８  本体フレーム
２０  光学箱
２２  レーザー光源（光源）
２４  シリンドリカルレンズ（光学系）
２６  ポリゴンミラー（偏向手段）
２８  結像レンズ（光学系）
３０  ミラー（光学系）
３２  ポリゴンモータ（駆動部）
３８  レーザー出射口（窓部）
４０  レーザー通過口（通過口）
４２  クロスフローファン（送風手段）
６２  通風路
６３  軸流ファン（送風手段）
６４  フィン
【図１】
0003614008.tif 000002
【図２】
0003614008.tif 000003
【図３】
0003614008.tif 000004
【図４】
0003614008.tif 000005
【図５】
0003614008.tif 000006
【図６】
0003614008.tif 000007
【図７】
0003614008.tif 000008
【図８】
0003614008.tif 000009
【図９】
0003614008.tif 000010
【図１０】
0003614008.tif 000011